(57)【要約】      （修正有）【課題】主にビデオ・オーディオ画像圧縮ソフトウェアの再生に対応可能なブック型動画再生機器に関する物であり、特にコンパクトで薄い液晶表示装置付きの充電可能な動画再生機器を提供する。【解決手段】充電スタンド付きブック型動画再生機器は、本体及び蓋体を含み、前記本体内には音声画像機能回路装置を結合し、前記本体上には画面表示装置、磁力センサー、イヤホンジャック、スピーカー、複数の動画再生ボタンを設け、それぞれを前記音声画像機能回路装置に接続する。また、前記本体の側面に端子座を設け、前記画像表示装置に接続し、導線端子を挿入してフラッシュメモリーと接続させ、該フラッシュメモリーに保存された音声画像を前記本体内の音声画像機能回路装置に伝送する。駆動電源は直接ＤＣ電源プラグ経由、もしくは専用の充電スタンド経由、またＤＣ電源ソケット経由でパソコンから内蔵するリチウムイオンポリマー電池に充電を行なうことができる。【選択図】図４
0003172123.tif 000002
【実用新案登録請求の範囲】
【請求項１】
前記ビデオブックの専用の充電スタンドから、内蔵するリチウムイオン電池を充電することができることを特徴とするブック型動画再生機器。
【請求項２】
前記ビデオブック蓋体を透明カバーによる二重構造にすることで宣伝用資料の入れ替えができることを特徴とするブック型動画再生機器。
【請求項３】
前記ビデオブック蓋体にマグネットを内蔵し、本体の電路板に非接触型磁力センサーを設けて、電源スイッチを切り替えることができることを特徴とするブック型動画再生機器。
【請求項４】
前記ビデオブック本体内に端子座を設け、前記音声画像機能回路装置に接続し、導電端子を挿入してフラッシュメモリーなど記録媒体と接続させ、コンテンツを前記ビデオブック本体内の音声画像機能回路装置に伝送することができるが、パソコンと接続しても認識されず、ビデオブックのコンテンツも前記パソコンから変更させることができないことを特徴とするブック型動画再生機器。
【考案の詳細な説明】
【技術分野】
【０００１】本考案は、主にビデオ・オーディオ画像圧縮ソフトウェアの再生に対応可能なブック型動画再生機器に関する物であり、特にコンパクトで薄い液晶表示装置付きの充電可能な動画再生機器に係る。
【背景技術】
【０００２】従来のブック型動画再生機器では、ビデオテープやデジタルビデオディスク（以下、ＤＶＤ）、メモリーを利用した多種類の様式のものが知られている。例えば、［特許文献２］のような印刷された情報と共に連続的な動画情報をも併せて読者に提供可能な液晶表示装置付き書籍がある。また、［特許文献１］のような、カタログと音声付き動画が一体となったイヤホン付きビデオカタログもある。
【先行技術文献】
【特許文献１】  実願平２３−２６６４
【特許文献２】  特開平６−２６２８７７
【考案の概要】
【考案が解決しようとする課題】
【０００３】しかしながら、［特許文献１］は、充電することができないことから内蔵するリチウムイオン電池が切れて、製品が使用できなくなることがある。【０００４】［特許文献１］は、パソコンに接続しダウンロードした音声または画像を公知の音声画像方式で伝送することができるが、しかしパソコンの不具合などが発生した場合、製品に支障が出る恐れがあるのみならず、パソコンと接続した状態でコンピュータウイルスの感染媒介になる可能性も否定できない。【０００５】［特許文献１］は、内蔵するマグネットとマグネットセンサーを搭載したことにより、表紙の開閉にて電源を切り替えることができるが、しかし電源を切り換える都度、マグネットセンサーによる表紙開閉の検知精度が低いことから表紙を接触させる必要があった。【０００６】［特許文献１］は、使用環境に制限されないが、しかし、紙資料を入れ替えたりすることができないといった媒体上の制約を有していた。
【課題を解決するための手段】
【０００７】前述目的を達成させる為に、本考案は、専用の充電スタンドに本体を挟持させ、前記充電スタンドの底に設けた電極バネに本体の電極接点を接触させ、本体に内蔵するリチウムイオンポリマー電池に充電を行なう。【０００８】本考案は、前記本体の側面に端子座を設け、画像表示装置に接続し、導線端子を有するフラッシュメモリーなど記録媒体と接続させ、記録媒体のコンテンツ即ち音声や動画を前記本体内の音声画像機能回路装置に伝送する一方、プログラム上の設定によりＰＣ接続阻止機能を実現させ、直接パソコンと接続しても認識されることはない。【０００９】本考案は、前記本体内に音声画像機能回路装置を結合し、前記本体上には画面表示装置、非接触型磁力センサー、イヤホンジャック、スピーカー、複数の動画再生ボタンを設け、それぞれを前記音声画像機能回路装置に接続する。前記磁力センサーを制御するスイッチタイプのホールＩＣは磁界の強弱に対してＯＮ／ＯＦＦの出力を得ることができるので、ホール素子とその出力をデジタル信号に変換するＩＣとを一体化することで、電源スイッチが自動的に作動させ、音声画像を再生または停止することができる。【００１０】本考案は、蓋体の表表紙、裏表紙、背表紙を二重構造にすることで、紙資料の入れ替えを可能にした。
【考案の効果】
【００１１】本考案は、製品の紹介や操作説明に関してユーザーが伝えたい文字と絵という情報に加え、音声付き動画により、動作についての各段階による状況と状態説明を多角的な角度から音声と動きを交えて説明することが出来る。
パソコンに認識されないことからコンテンツの変更や流出の心配がなく、コンピュータウイルスに感染される可能性もなく、ユーザーにとって非常に解りやすく安心して使用できるものとなっている。更にブック型の本体に加え専用の充電スタンドを付属させることでより利便性を高めた。
【実施例】
【００１２】商業用ビデオブックとしては、医療用機器や器具などの説明用、医療用医薬品の説明用、産業機器の説明用、自動車、家電、オフィス用品等の製品等の紹介カタログや、各種説明用カタログとしての利用が想定される。
【図面の簡単な説明】
【００１３】
【図１】本考案のビデオブックの立体外観図である。
【図２】本考案のビデオブックを平らに置く時の立体外観図である。
【図３】本考案のビデオブックを開けた時の立体外観図である。
【図４】本考案のビデオブックの構造を示す模式図である。
【図５】本考案のビデオブックの専用充電スタンドの立体外観図である。
【図６】本考案のビデオブックの専用充電スタンドの断面図である。
【図７】本考案の回路原理図である。
【考案を実施するための形態】
【００１４】以下、添付図面に基づいて本考案の技術特徴と長所を更に詳しく説明する。
図１乃至図４に示す通り、本考案は充電スタンド付きビデオブックであり、本体１０及び蓋体２１と専用の充電スタンド１１を備える。蓋体２１の内側と外側に透明カバーを取り付けることで商品の紹介や操作説明など宣伝用紙資料を差し替え可能にしている。本体１０面上に開閉の検知精度が高い磁力センサー２９と画像表示装置１９とを結合することが特徴であり、またイヤホンジャック１３と機敏な音量調節を目的とするデジタル式ダイヤル１５を設ける。更に、本体１０面上の２０に複数の動画再生ボタン（例えば、Ａ，Ｂ，Ｃ，Ｄなど）を設け、本体２２面上に端子座１４を設け、また、本体１０内に音声画像機能回路装置３０を設け、磁力センサー２９、画像表示装置１９、動画再生ボタン２０、端子座１４にそれぞれ接続する。充電する時に、本体側面のＬＥＤ指示灯１７が点灯する。これは図４に示す通りである。
【００１５】本考案は、本体１０面上に磁力センサー２９を設けて、蓋体２１を開閉した時、電源スイッチが自動的に作動させ、音声画像を再生及び停止することができる。使用時、端子座１４に導線端子２７を挿入してフラッシュメモリーと接続し、後記フラッシュメモリーのコンテンツから音声画像を本体１０内の音声画像機能回路装置３０に伝送し、本体１０面上の複数ある動画再生ボタン２０によって画像表示装置１９の画像切り替えを制御する。
また、本体２２側面に設けたイヤホンジャック１３にイヤホン２６を挿入することによってフラッシュメモリーから伝送した動画をイヤホンによる視聴もできる。また、視聴時、上記本体２２側面に設けたデジタル式ダイヤル１５で音量を調節できる。またＤＣ電源プラグ２８を通じてパソコンに接続した時、ＤＣ電源ソケット１６を通して本体２２に内蔵するリチウムイオンポリマー電池１８に充電することができるが、パソコンに認識されることができない。
【符号の説明】
【００１６】１０  本体
１１  充電スタンド
１２  透明カバー
１３  イヤホンジャック
１４  端子座
１５  デジタル式ダイヤル
１６  ＤＣ電源ソケット
１７  ＬＥＤ指示灯
１８  電極接点
１９  画像表示装置
２０  動画再生スイッチ（Ａ、Ｂ、Ｃ、Ｄ）
２１  蓋体
２２  スピーカー
２３  リチウムイオンポリマー電池
２４  電極バネ
２５  充電スタンドのＤＣ電源差込口
２６  イヤホン
２７  導電端子
２８  ＤＣ電源プラグ
２９  磁力センサー
３０  音声画像機能回路装置
【図１】
0003172123.tif 000003
【図２】
0003172123.tif 000004
【図３】
0003172123.tif 000005
【図４】
0003172123.tif 000006
【図５】
0003172123.tif 000007
【図６】
0003172123.tif 000008
【図７】
0003172123.tif 000009
【手続補正書】
【提出日】平成23年9月7日(2011.9.7)
【手続補正１】
【補正対象書類名】実用新案登録請求の範囲
【補正対象項目名】全文
【補正方法】変更
【補正の内容】
【実用新案登録請求の範囲】
【請求項１】
ブック型動画再生機器を専用の充電スタンドに挟持させ、内蔵するリチウムイオン電池を前記充電スタンドの底部に設けた電極バネに本体の電極接点を接触させ、本体に内蔵するリチウムイオンポリマー電池に充電を行なうことができることを特徴とするブック型動画再生機器。
【請求項２】
前記ブック型動画再生機器の蓋体を透明カバーによる二重構造にすることで宣伝用資料の入れ替えができることを特徴とする請求項１記載のブック型動画再生機器。
【請求項３】
前記ブック型動画再生機器の蓋体にマグネットを内蔵させ、前記ブック型動画再生機器の本体の電路板に非接触型磁力センサーを設けて、電源スイッチを切り替えることができることを特徴とする請求項１記載のブック型動画再生機器。
【請求項４】
前記ブック型動画再生機器の本体内に端子座を設け、前記音声画像機能回路装置に接続し、導電端子を挿入してフラッシュメモリーなど記録媒体と接続させ、コンテンツを前記ブック型動画再生機器本体内の音声画像機能回路装置に伝送することができるが、ＵＳＢ（Ｕｎｉｖｅｒｓａｌ  Ｓｅｒｉａｌ  Ｂｕｓ）のＯＴＧ（Ｏｎ−Ｔｈｅ−Ｇｏ）規格を導入した前記ブック型動画再生機器内蔵のＩＣチップに入力したプログラムを通じて、パソコンと接続しても認識されず、前記ブック型動画再生機器のコンテンツも前記パソコンから変更させることができないことを特徴とする請求項１記載のブック型動画再生機器。
【手続補正２】
【補正対象書類名】明細書
【補正対象項目名】００１２
【補正方法】変更
【補正の内容】
【００１２】商業用ブック型動画再生機器としては、医療用機器や器具等の説明用、医療用医薬品の説明用、産業機器の説明用、自動車、家電、オフィス用品等の製品等の紹介カタログや、各種説明用カタログとしての利用が想定される。
【手続補正３】
【補正対象書類名】明細書
【補正対象項目名】００１３
【補正方法】変更
【補正の内容】
【００１３】
【図１】本考案のブック型動画再生機器の立体外観図である。
【図２】本考案のブック型動画再生機器を平らに置く時の立体外観図である。
【図３】本考案のブック型動画再生機器を開けた時の立体外観図である。
【図４】本考案のブック型動画再生機器の構造を示す模式図である。
【図５】本考案のビデオブック型動画再生機器の専用充電スタンドの立体外観図である。
【図６】本考案のビデオブック型動画再生機器の専用充電スタンドの断面図である。
【図７】本考案のブック型動画再生機器の回路原理図である。
【手続補正４】
【補正対象書類名】明細書
【補正対象項目名】００１４
【補正方法】変更
【補正の内容】
【００１４】以下、添付図面に基づいて本考案の技術特徴と長所を更に詳しく説明する。図１乃至図４に示す通り、本考案は充電スタンド付きブック型動画再生機器であり、本体１０及び蓋体２１と専用の充電スタンド１１を備える。蓋体２１の内側と外側に透明カバーを取り付けることで商品の紹介や操作説明など宣伝用紙資料を差し替え可能にしている。本体１０面上に開閉の検知  精度が高い磁力センサー２９と画像表示装置１９とを結合することが特徴であり、またイヤホンジャック１３と機敏な音量調節を目的とするデジタル式ダイヤル１５を設ける。更に、本体１０面上の２０に複数の動画再生ボタン（例えば、Ａ，Ｂ，Ｃ，Ｄなど）を設け、本体２２面上に端子座１４を設け、また、本体１０内に音声画像機能回路装置３０を設け、磁力センサー２９、画像表示装置１９、動画再生ボタン２０、端子座１４にそれぞれ接続する。充電する時に、本体側面のＬＥＤ指示灯１７が点灯する。これは図４に示す通りである。